(57)【特許請求の範囲】
【請求項１】
内燃機関のブローバイガスをケース内に導入してオイルと分離し、その分離されたオイルを同ケース外に排出するオイルセパレータにおいて、
前記ケースの内部には、複数の電極板が互いに間隔をおいて対向配置され、
隣り合う前記電極板の間には、電気絶縁材料によって形成されたフィルタが、隣り合う前記電極板の双方に当接して介設され、
前記電極板には、隣り合う前記電極板の間に電圧を印加して電位差を発生させる電源装置が接続され、
前記フィルタの充填率は、０．００５〜０．０３であり、
前記電源装置によって隣り合う前記電極板の間に印加される電圧は、０．５〜５ｋＶであり、
隣り合う前記電極板の間の距離は、３〜２０ｍｍである、
オイルセパレータ。
【請求項２】
前記フィルタの充填率は、０．０１〜０．０２である、
請求項１に記載のオイルセパレータ。
【発明の詳細な説明】
【技術分野】
【０００１】
本発明は、内燃機関のブローバイガスをケース内に導入してオイルと分離し、その分離されたオイルを同ケース外に排出するオイルセパレータに関する。
【背景技術】
【０００２】
内燃機関には、クランク室内のブローバイガスを吸気通路に還流する還流通路が設けられている。また、こうした還流通路の途中には、ブローバイガスに含まれる霧状のオイルを分離するオイルセパレータが設けられている（例えば特許文献１参照）。
【０００３】
特許文献１に記載のオイルセパレータのケース内には、２つの網状の電極が互いに対向して配置されており、これら電極には電源装置によって電位差が付与されるように構成されている。こうしたオイルセパレータによれば、ブローバイガスが一方の電極を通過する際に同ブローバイガスに含まれる水分が帯電され、帯電された水分が静電気力によって他方の電極に吸着される。このとき、ブローバイガスに含まれる霧状のオイルは水分と共に電極に吸着される。このようにして、ブローバイガスに含まれる霧状のオイルを分離することができるとされている。なお、電極に吸着されたオイルや水分は自重によって落下し、ケースの底壁に形成されたオイル排出口を通じてケース外に排出される。
【先行技術文献】
【特許文献】
【０００４】
【特許文献１】特開平３−１４１８１１号公報
【発明の概要】
【発明が解決しようとする課題】
【０００５】
ところで、特許文献１に記載のオイルセパレータにおいてブローバイガスの流速が大きい場合には、オイルが電極に衝突せずに同電極を通り抜けやすい。そのため、オイルの捕捉効率が低いものとなっている。
【０００６】
これに対して、前記オイルセパレータにおいて、電極の網の目を細かくすることによりオイルが電極に衝突しやすくすることが考えられる。しかしながら、この場合、電極の網の目を細かくすることによって通気抵抗が増大することとなり、オイルセパレータによる圧力損失が増大するといった別の問題が生じることとなる。
【０００７】
本発明の目的は、オイルの捕捉効率を適切に向上させることができるオイルセパレータを提供することにある。
【課題を解決するための手段】
【０００８】
上記目的を達成するためのオイルセパレータは、内燃機関のブローバイガスをケース内に導入してオイルと分離し、その分離されたオイルを同ケース外に排出する。前記ケースの内部には、複数の電極板が互いに間隔をおいて対向配置され、隣り合う前記電極板の間には、電気絶縁材料によって形成されたフィルタが介設され、前記電極板には、隣り合う前記電極板の間に電圧を印加して電位差を発生させる電源装置が接続され、前記フィルタの充填率は、０．００５〜０．０３であり、前記電源装置によって隣り合う前記電極板の間に印加される電圧は、０．５〜５ｋＶであり、隣り合う前記電極板の間の距離は、３〜２０ｍｍである。
【０００９】
同構成によれば、隣り合う電極板の間に電圧を印加すると、各電極板の間に電位差が発生されることにより、各電極板の間には電界が生じるとともに、フィルタの表面には誘電分極により正または負の電荷が生じる。このため、ブローバイガスに含まれる霧状のオイルのうち帯電しているものは、各電極板の間を通過する際に静電気力によって移動方向が曲げられることとなり、フィルタに捕捉されやすくなる。
【００１０】
また、ブローバイガスに含まれる霧状のオイルのうち帯電していないものは、各電極板の間に介設されたフィルタを通過する際に誘電分極により同オイルの表面に正または負の電荷が生じる。このため、静電気力によってオイルがフィルタの表面の負または正の電荷に引き寄せられることとなり、フィルタに捕捉されやすくなる。
【００１１】
このように、上記構成によれば、目の粗いフィルタであってもオイルを効率的に捕捉することができ、フィルタによる通気抵抗の増大を抑制することができる。したがって、圧力損失の増大を抑制することができるとともに、オイルの捕捉効率を向上させることができる。
【００１２】
ところで、フィルタの充填率が高すぎると、捕捉したオイルによってフィルタが目詰まりしてしまい、圧力損失が増大するおそれが出てくる。逆に、フィルタの充填率が低すぎると、オイルの捕捉性能が低下してしまう。また、隣り合う電極板の間に印加される電圧が低すぎると、オイルの捕捉性能が低下してしまう。逆に、隣り合う電極板の間に印加される電圧が高すぎると、電極板同士が通電してしまい、電力消費量が増大してしまう。また、隣り合う電極板の間の距離が長すぎると、フィルタの表面が誘電分極し難くなるため、捕捉性能が低下してしまう。逆に、隣り合う電極板の間の距離が短すぎると、電極板同士が通電してしまい、電力消費量が増大してしまう。
【００１３】
この点、上記構成によれば、フィルタの充填率を０．００５〜０．０３とし、隣り合う電極板の間に印加される電圧を０．５〜５ｋＶとし、隣り合う電極板の間の距離を３〜２０ｍｍとしている。フィルタの充填率、隣り合う電極板の間に印加される電圧、及び隣り合う電極板の間の距離をこのような値に設定することで、フィルタの目詰まりを抑制するとともに、隣り合う電極板の間で通電が生じることを抑制しつつ、オイルの捕捉効率を適切に向上させることができる。
【発明の効果】
【００１４】
本発明によれば、オイルの捕捉効率を適切に向上させることができる。
【図面の簡単な説明】
【００１５】
【図１】実施形態に係るオイルセパレータの斜視図。
【図２】上記オイルセパレータのリッドが外された状態の平面図。
【図３】上記オイルセパレータの作用を説明する模式図。
【図４】フィルタの充填率とオイルの捕捉効率との関係を示すグラフ。
【図５】隣り合う電極板の間に印加される電圧とオイルの捕捉効率との関係を示すグラフ。
【図６】隣り合う電極板の間の距離とオイルの捕捉効率との関係を示すグラフ。
【図７】フィルタの長さとオイルの捕捉効率との関係を示すグラフ。
【図８】フィルタを通過するブローバイガスの流速とオイルの捕捉効率との関係を示すグラフ。
【発明を実施するための形態】
【００１６】
以下、図１〜図８を参照して、オイルセパレータの一実施形態について説明する。
図１に示すように、オイルセパレータ１０は、内燃機関のクランク室内のブローバイガスを吸気通路に還流する還流通路に設けられるものであり、例えばナイロン６６などの電気絶縁性の硬質樹脂材料によって形成されたケース１１を有している。
【００１７】
ケース１１は、上部開口を有するケース本体２０と、ケース本体２０の上部開口を開閉可能に設けられるリッド３０とを有している。ケース本体２０は、平面視矩形状の底壁２２と、同底壁２２の四辺から上方に向けて延びる側壁２１とを有している。
【００１８】
図１及び図２に示すように、ケース本体２０の長手方向における一端側の側壁２１には、円筒状のガス流入口２３が外側に向けて突設されている。また、ケース本体２０の長手方向における他端側の側壁２１には、円筒状のガス流出口２４が外側に向けて突設されている。底壁２２における前記ガス流出口２４に近接した位置には、オイル排出口２５が下方に向けて突設されている。
【００１９】
ケース本体２０の内部には、ステンレス鋼によって形成された４枚の電極板４０が、長手方向、すなわちブローバイガスの流れ方向、及び上下方向に沿うとともに互いに間隔をおいて対向配置されている。また、隣り合う電極板４０同士は互いに平行に配置されている。そして、隣り合う電極板４０の間の距離Ｄは、３〜２０ｍｍであることが好ましく、より好ましくは５〜１５ｍｍである。例えば、隣り合う電極板４０の間の距離Ｄは、１０ｍｍに設定される。また、各電極板４０は、長手方向における両端の側壁２１から間隔をおいて配置されている。なお、電極板４０は２枚以上であればよく、任意の枚数に変更することができる。
【００２０】
図２に示すように、各電極板４０には、導線を介して電源装置６０が電気的に接続されている。同図の上から奇数番目の電極板４０には電源装置６０の陽極（＋）が接続され、上から偶数番目の電極板４０には電源装置６０の陰極（−）またはアースが接続されている。このことにより、互いに隣り合う電極板４０の間には、電源装置６０によって電圧が印加されることにより所定の電位差が発生される。そして、隣り合う電極板４０の間に印加される電圧は、０．５〜５ｋＶであることが好ましく、より好ましくは３〜５ｋＶである。例えば、隣り合う電極板４０の間に印加される電圧は、５ｋＶに設定される。なお、図１においては電源装置６０の図示を省略している。
【００２１】
各電極板４０の間には、電気絶縁材料であるポリエステルの繊維５１（図３参照）によって形成されたフィルタ５０が介設されている。ポリエステルなどの電気絶縁材料は、誘電分極が生じる誘電材料でもある。フィルタ５０は、隣り合う各電極板４０に当接されている。すなわち、フィルタ５０の厚さは、隣り合う電極板４０の間の距離Ｄと等しい。また、フィルタ５０の上下方向及び長手方向の長さは電極板４０と同一とされており、各フィルタ５０の長手方向の配設位置は、各電極板４０の配設位置に対応している。なお、電気絶縁材料によって形成されたフィルタ５０自体には電気がほとんど流れないため、フィルタ５０に捕捉された水分を介して各電極板４０の間で通電が生じることが抑制されている。
【００２２】
また、各フィルタ５０の充填率は、０．００５〜０．０３であることが好ましく、より好ましくは０．０１〜０．０２である。ここで、フィルタ５０の充填率とは、フィルタ５０（繊維５１の間の空間を含む）の体積に占める繊維５１の体積の割合である。更に、図１に示すように、各フィルタ５０におけるブローバイガスの流れ方向（図１において矢印Ｘ参照）の長さＬは、２００ｍｍ以下であることが好ましく、より好ましくは１００ｍｍ以下である。なお、本実施形態では、ブローバイガスの流れ方向は、フィルタ５０の長手方向と同方向である。また、各フィルタ５０におけるブローバイガスの流れ方向と直交する断面の面積Ａは、フィルタ５０を通過するブローバイガスの流速が０．９ｍ／ｓ以下になるように設定されることが好ましい。なお、この流速は、オイルセパレータ１０を通過するブローバイガスの単位時間当たりの流量を、３つのフィルタ５０におけるブローバイガスの流れ方向と直交する断面の面積Ａで割って算出されるものである。
【００２３】
次に、本実施形態の作用について説明する。
ガス流入口２３を通じてケース１１内に導入されたブローバイガスは、ガス流出口２４に向けて移動する。
【００２４】
オイルセパレータ１０においては、各電極板４０の間にフィルタ５０が介設され、且つ各電極板４０の間に所定の電位差が付与されることにより、図３に示すように、各電極板４０の間には静電界が生じるとともに、フィルタ５０の繊維５１の表面には誘電分極により正（＋）または負（−）の電荷が生じる。このため、ブローバイガスに含まれる霧状のオイルのうち帯電しているものは、各電極板４０の間を通過する際に静電気力によって移動方向が曲げられることとなり、フィルタ５０に捕捉されやすくなる。
【００２５】
また、ブローバイガスに含まれる霧状のオイルのうち帯電していないものは、図３に示すように、各電極板４０の間に介設されたフィルタ５０の繊維５１同士の間の間隙を通過する際に誘電分極により同オイルの表面に正（＋）または負（−）の電荷が生じる。このため、静電気力によってオイルがフィルタ５０の繊維５１の表面の負（−）または正（＋）の電荷に引き寄せられることとなり、フィルタ５０に捕捉されやすくなる。
【００２６】
このように、本実施形態のオイルセパレータ１０によれば、目の粗いフィルタ５０であってもオイルを効果的に捕捉することができ、フィルタ５０による通気抵抗の増大を抑制することができる。したがって、圧力損失の増大を抑制することができるとともに、オイルの捕捉効率を向上させることができる。
【００２７】
なお、オイルが分離されたブローバイガスは、ガス流出口２４を通じてブローバイガス還流通路に流出する。一方、底壁２２上に溜まったオイルなどは同底壁２２を伝って移動し、オイル排出口２５を通じてケース１１外に排出される。
【００２８】
ところで、フィルタ５０の充填率が高すぎると、捕捉したオイルによってフィルタ５０が目詰まりしてしまい、圧力損失が増大するおそれが出てくる。逆に、フィルタ５０の充填率が低すぎると、オイルの捕捉性能が低下してしまう。また、隣り合う電極板４０の間に印加される電圧が低すぎると、オイルの捕捉性能が低下してしまう。逆に、隣り合う電極板４０の間に印加される電圧が高すぎると、電極板４０同士が通電してしまい、電力消費量が増大してしまう。また、隣り合う電極板４０の間の距離Ｄが長すぎると、フィルタ５０の表面（フィルタ５０を構成する繊維５１の表面）が誘電分極し難くなるため、捕捉性能が低下してしまう。逆に、隣り合う電極板４０の間の距離Ｄが短すぎると、電極板４０同士が通電してしまい、電力消費量が増大してしまう。また、フィルタ５０の長さＬが長すぎたり、フィルタ５０の断面の面積Ａが大きすぎたりすると（すなわち、フィルタ５０を通過するブローバイガスの流速が小さすぎたりすると）、オイルセパレータ１０が大型化されるため、当該オイルセパレータ１０を車両における限られた搭載スペースに配置することが困難となるおそれがある。逆に、フィルタ５０の長さＬが短すぎたり、フィルタ５０の断面の面積Ａが小さすぎたりすると（すなわち、フィルタ５０を通過するブローバイガスの流速が大きすぎたりすると）、オイルの捕捉性能が低下してしまう。
【００２９】
そこで、フィルタ５０の充填率、隣り合う電極板４０の間に印加される電圧、隣り合う電極板４０の間の距離Ｄ、フィルタ５０におけるブローバイガスの流れ方向の長さＬ、及び、フィルタ５０を通過するブローバイガスの流速のうちのいずれか１つのパラメータとオイルの捕捉効率との関係を実験により導出した。
【００３０】
図４は、フィルタ５０の充填率とオイルの捕捉効率との関係を示すグラフである。フィルタ５０の充填率とオイルの捕捉効率との関係を導出するための実験では、隣り合う電極板４０の間に印加する電圧が１ｋＶ、３ｋＶ及び５ｋＶである場合のそれぞれについて、フィルタ５０の充填率を変化させてオイルの捕捉効率を測定した。なお、同実験では、隣り合う電極板４０の間の距離Ｄは１０ｍｍ、フィルタ５０の長さＬは１００ｍｍ、フィルタ５０の断面の面積Ａは０．００１５ｍ２（すなわち、ブローバイガスの流速は１．１ｍ／ｓ）に設定した。そして、図４には、隣り合う電極板４０の間に印加する電圧が１ｋＶ、３ｋＶ及び５ｋＶである場合について、フィルタ５０の充填率とオイルの捕捉効率との関係を示している。
【００３１】
図４に示すように、オイルの捕捉効率は、フィルタ５０の充填率が高いほど高くなるが、特に電圧が３ｋＶ以上ではフィルタ５０の充填率が０．０１５を超えると向上する割合が小さくなる。なお、一般的に、フィルタ５０の充填率を高くすると、圧力損失が増大する。これらのことから、各フィルタ５０の充填率を０．００５〜０．０３とすることにより、圧力損失の増大を抑制しつつ、オイルの捕捉効率を向上させることができる。更には、各フィルタ５０の充填率を０．０１〜０．０２とすることにより、圧力損失の増大をより抑制しつつ、オイルの捕捉効率を向上させることができる。特に、隣り合う電極板４０の間に印加する電圧が５ｋＶである場合において、フィルタ５０の充填率を０．０１〜０．０２とすることにより、より高い捕捉効率を得ることができる。
【００３２】
また、図５は、隣り合う電極板４０の間に印加する電圧とオイルの捕捉効率との関係を示すグラフである。隣り合う電極板４０の間に印加する電圧とオイルの捕捉効率との関係を導出するための実験では、隣り合う電極板４０の間の距離Ｄが１０ｍｍである場合において、隣り合う電極板４０の間に印加する電圧を変化させてオイルの捕捉効率を測定した。なお、同実験では、フィルタ５０の充填率は０．０１４、フィルタ５０の長さＬは１００ｍｍ、フィルタ５０の断面の面積Ａは０．００１５ｍ２（すなわち、ブローバイガスの流速は１．１ｍ／ｓ）に設定した。
【００３３】
図５に示すように、オイルの捕捉効率は、隣り合う電極板４０の間に印加する電圧が高くなるにつれて高くなるものの、隣り合う電極板４０の間に印加する電圧が３ｋＶ以上になると向上する割合が小さくなる。これを踏まえると、隣り合う電極板４０の間に印加する電圧を０．５〜５ｋＶとすることにより、オイルの捕捉が可能である。更には、隣り合う電極板４０の間に印加する電圧を３〜５ｋＶとすることにより、電力消費量の増大を抑制しつつ、高い捕捉効率を得ることができる。
【００３４】
また、図６は、隣り合う電極板４０の間の距離Ｄとオイルの捕捉効率との関係を示すグラフである。隣り合う電極板４０の間の距離Ｄとオイルの捕捉効率との関係を導出するための実験では、隣り合う電極板４０の間に印加される電圧が５ｋＶである場合において、隣り合う電極板４０の間の距離Ｄを変化させてオイルの捕捉効率を測定した。なお、同実験では、フィルタ５０の充填率は０．０１４、フィルタ５０の長さＬは１００ｍｍ、フィルタ５０の断面の面積Ａは０．００１５ｍ２（すなわち、ブローバイガスの流速は１．１ｍ／ｓ）に設定した。
【００３５】
図６に示すように、隣り合う電極板４０の間の距離Ｄが短いほど、オイルの捕捉効率は高くなる。しかしながら、隣り合う電極板４０の間の距離Ｄが短すぎると、電極板４０同士が通電してしまう。これらを踏まえると、隣り合う電極板４０の間の距離Ｄを３〜２０ｍｍとすることにより、隣り合う電極板４０同士が通電することを抑制しつつ、高い捕捉効率を得ることができる。更には、隣り合う電極板４０の間の距離Ｄを５〜１５ｍｍとすることにより、隣り合う電極板４０同士が通電することをより抑制しつつ、より高い捕捉効率を得ることができる。
【００３６】
また、図７は、フィルタ５０におけるブローバイガスの流れ方向の長さＬとオイルの捕捉効率との関係を示すグラフである。フィルタ５０の長さＬとオイルの捕捉効率との関係を導出するための実験では、隣り合う電極板４０の間に印加する電圧が１ｋＶ、３ｋＶ及び５ｋＶである場合のそれぞれについて、フィルタ５０の長さＬを変化させてオイルの捕捉効率を測定した。なお、同実験では、フィルタ５０の充填率は０．０１４、隣り合う電極板４０の間の距離Ｄは１０ｍｍ、フィルタ５０の断面の面積Ａは０．００１５ｍ２（すなわち、ブローバイガスの流速は１．１ｍ／ｓ）に設定した。そして、図７には、隣り合う電極板４０の間に印加する電圧が１ｋＶ、３ｋＶ及び５ｋＶである場合について、フィルタ５０におけるブローバイガスの流れ方向の長さＬとオイルの捕捉効率との関係を示している。
【００３７】
図７に示すように、オイルの捕捉効率は、フィルタ５０の長さＬが長いほど向上するが、フィルタ５０の長さＬが１００ｍｍ以上の範囲では向上する割合が少ない。そのため、各フィルタ５０の長さＬを２００ｍｍ以下とすることにより、オイルセパレータ１０の大型化を抑制しつつ捕捉効率を向上させることができる。更には、各フィルタ５０の長さＬを１００ｍｍ以下とすることにより、オイルの捕捉効率の低下を抑制しつつ、オイルセパレータ１０を小型化することができる。
【００３８】
また、図８は、フィルタ５０を通過するブローバイガスの流速とオイルの捕捉効率との関係を示すグラフである。フィルタ５０を通過するブローバイガスの流速とオイルの捕捉効率との関係を導出するための実験では、フィルタ５０の充填率を０．０１４、隣り合う電極板４０の間に印加する電圧を５ｋＶ、隣り合う電極板４０の間の距離Ｄを１０ｍｍ、フィルタ５０の長さＬを１００ｍｍに設定した。そして、フィルタ５０の断面の面積Ａを変化させることによりブローバイガスの流速を変化させてオイルの捕捉効率を測定した。
【００３９】
図８に示すように、ブローバイガスの流速が小さいほどオイルの捕捉効率は高くなる。そして、各フィルタ５０におけるブローバイガスの流れ方向と直交する断面の面積Ａを、フィルタ５０を通過するブローバイガスの流速が０．９ｍ／ｓ以下になるように設定することにより、オイルの捕捉効率を８４％以上にすることが可能となる。
【００４０】
これらの実験結果に基づいて、本実施形態のオイルセパレータ１０においては、フィルタ５０の充填率を０．００５〜０．０３とし、隣り合う電極板４０の間に印加される電圧を０．５〜５ｋＶとし、隣り合う電極板４０の間の距離を３〜２０ｍｍとしている。更には、フィルタ５０の充填率を０．０１〜０．０２とし、隣り合う電極板４０の間に印加される電圧を３〜５ｋＶとし、隣り合う電極板４０の間の距離を５〜１５ｍｍとすることがより好ましいとしている。フィルタ５０の充填率、隣り合う電極板４０の間に印加される電圧、及び隣り合う電極板４０の間の距離Ｄをこのような値に設定することで、フィルタ５０の目詰まりを抑制するとともに、隣り合う電極板４０の間で通電が生じることを抑制しつつ、オイルの捕捉効率を適切に向上させることができる。
【００４１】
以上説明した本実施形態に係るオイルセパレータによれば、以下に示す効果が得られるようになる。
（１）フィルタ５０の充填率を０．００５〜０．０３とし、隣り合う電極板４０の間に印加される電圧を０．５〜５ｋＶとし、隣り合う電極板４０の間の距離を３〜２０ｍｍとしている。これにより、フィルタ５０の目詰まりを抑制するとともに、隣り合う電極板４０の間で通電が生じることを抑制しつつ、オイルの捕捉効率を適切に向上させることができる。
【００４２】
（２）フィルタ５０の充填率を０．０１〜０．０２とすることにより、圧力損失の上昇をより抑制しつつ、オイルの捕捉効率を向上させることができる。
（３）各フィルタ５０の長さＬを２００ｍｍ以下とすることにより、オイルセパレータ１０の大型化を抑制しつつ捕捉効率を向上させることができる。更には、各フィルタ５０の長さＬを１００ｍｍ以下とすることにより、オイルの捕捉効率の低下を抑制しつつ、オイルセパレータ１０を小型化することができる。
【００４３】
（４）各フィルタ５０におけるブローバイガスの流れ方向と直交する断面の面積Ａを、フィルタ５０を通過するブローバイガスの流速が０．９ｍ／ｓ以下になるように設定することにより、オイルの捕捉効率を８４％以上にすることが可能となる。
【００４４】
なお、上記実施形態は、例えば以下のように変更することもできる。
・各フィルタ５０におけるブローバイガスの流れ方向の長さＬは、車両におけるオイルセパレータ１０の搭載スペースに応じて、２００ｍｍより長く設定されてもよい。
【００４５】
・各フィルタ５０におけるブローバイガスの流れ方向と直交する断面の面積Ａは、必ずしもフィルタ５０を通過するブローバイガスの流速が０．９ｍ／ｓ以下になるように設定されなくてもよい。例えば、フィルタ５０を通過するブローバイガスの流速が０．９〜１．５ｍ／ｓとなるように、各フィルタ５０におけるブローバイガスの流れ方向と直交する断面の面積Ａを設定してもよい。このようにすると、図６に示すように、オイルの捕捉効率を８０〜８４％程度とすることができる。
【００４６】
・フィルタ５０を構成する繊維５１はポリエステルによって形成されるものに限定されない。他に例えば、ポリエステルと同等の電気抵抗率及び比誘電率を有するポリエチレンやポリスチレン、ポリテトラフルオロエチレンなどに変更することもできる。また例えば、ポリアミド、アクリル、パルプ、ガラスなどに変更することもできる。
【００４７】
・フィルタ５０を構成する繊維５１に、撥水加工、撥油加工、親水加工、親油加工等の表面処理（コーティング等）を目的に応じて施してもよい。
・フィルタ５０は、樹脂の繊維５１によって形成されるものに限らない。他に例えば、ポリウレタンなどによって形成された多孔質状のものであってもよい。
【００４８】
・パンチングメタルや金属網などによって電極板４０を形成することもできる。
・ステンレス鋼以外の金属材料によって電極板４０を形成することもできる。
・ガス流入口２３及びガス流出口２４の少なくとも一方をリッド３０に形成することもできる。
【符号の説明】
【００４９】
１０…オイルセパレータ、１１…ケース、４０…電極板、５０…フィルタ、６０…電源装置、Ｄ…隣り合う電極板の間の距離
【図１】
0006499048.tif 000002
【図２】
0006499048.tif 000003
【図３】
0006499048.tif 000004
【図４】
0006499048.tif 000005
【図５】
0006499048.tif 000006
【図６】
0006499048.tif 000007
【図７】
0006499048.tif 000008
【図８】
0006499048.tif 000009